(57)【特許請求の範囲】
【請求項１】
鴨居の下面に鴨居溝が形成され、該鴨居溝の底面の幅方向中央に鴨居レール嵌合溝が形成され、鴨居レール嵌合溝に断面略平板状の鴨居レールの幅方向中央に形成された凸部が嵌合された状態で鴨居レールが鴨居溝底面に固定されてなる鴨居構造において、該鴨居レールは、一対の直立部とこれら直立部の上端同士を連結する頂面部とから略コの字形断面形状を有するものとして形成された前記凸部と、該凸部の直立部の下端から外方両側に向けて延長する一対の板状部とを有し、各板状部は厚肉部と薄肉部とを備え、厚肉部の上面は前記凸部の頂面部より低いレベルにおいて略平坦に形成されて鴨居溝底面に密接可能とされるとともに、薄肉部の上面は厚肉部の上面との間に段差を介してさらに低いレベルに位置付けられており、鴨居レールの凸部を鴨居レール嵌合溝に嵌合し、鴨居レールの厚肉部の上面を鴨居溝底面に密接させた状態で該厚肉部に固定具を打ち込むことにより、鴨居溝底面と薄肉部の上面との間に前記段差に対応する空間が形成された状態で鴨居レールが鴨居に固定されることを特徴とする鴨居構造。
【発明の詳細な説明】
【技術分野】
【０００１】
本発明は、家屋などにおいて引戸の走行を案内するための鴨居レールを鴨居溝に嵌合してなる鴨居構造に関する。
【背景技術】
【０００２】
従来技術による鴨居レールとして、下記特許文献１に開示されるものがある。
【特許文献１】実公平３−２６２４号公報
【発明の開示】
【発明が解決しようとする課題】
【０００３】
この鴨居レールは鴨居溝に嵌合して使用するものであるが、単に嵌合しただけでは鴨居レールが外れるおそれがあるため、鴨居レールをビスなどで固定することが好ましい。しかしながら、この場合にビスの締め付けが強すぎると、図７に示すように、ビス１で締め付けられた部分の周りの部分が局部的に変形する。特に、鴨居３の凹部４に嵌合した鴨居レール２の凸部５が凹部４から外れるような変形が生じると、引戸の開閉に支障を来すおそれがあった。
【０００４】
したがって、本発明が解決しようとする課題は、鴨居レールを鴨居溝にビスなどで固定したときに鴨居レールが変形することを防止し、引戸の開閉を円滑に行えるようにすることである。
【課題を解決するための手段】
【０００５】
上記の課題を達成するため、請求項１に係る本発明は、鴨居の下面に鴨居溝が形成され、該鴨居溝の底面の幅方向中央に鴨居レール嵌合溝が形成され、鴨居レール嵌合溝に断面略平板状の鴨居レールの幅方向中央に形成された凸部が嵌合された状態で鴨居レールが鴨居溝底面に固定されてなる鴨居構造において、該鴨居レールは、一対の直立部とこれら直立部の上端同士を連結する頂面部とから略コの字形断面形状を有するものとして形成された前記凸部と、該凸部の直立部の下端から外方両側に向けて延長する一対の板状部とを有し、各板状部は厚肉部と薄肉部とを備え、厚肉部の上面は前記凸部の頂面部より低いレベルにおいて略平坦に形成されて鴨居溝底面に密接可能とされるとともに、薄肉部の上面は厚肉部の上面との間に段差を介してさらに低いレベルに位置付けられており、鴨居レールの凸部を鴨居レール嵌合溝に嵌合し、鴨居レールの厚肉部の上面を鴨居溝底面に密接させた状態で該厚肉部に固定具を打ち込むことにより、鴨居溝底面と薄肉部の上面との間に前記段差に対応する空間が形成された状態で鴨居レールが鴨居に固定されることを特徴とする鴨居構造である。
【０００６】
請求項２に係る本発明は、請求項１記載の鴨居レールにおいて、厚肉部の下面に、この鴨居レールを鴨居に固定するための固定具を打ち込む位置が示されていることを特徴とする。
【発明の効果】
【０００７】
本発明の鴨居レールをビスなどで鴨居に固定すると、板状部の厚肉部上面が鴨居の溝底面に密着する。このとき、ビスによる締め付けが強すぎると、厚肉部がビスで押し付けられて多少の変形が生じる可能性があるが、厚肉部の両側に薄肉部が存在しているため、この変形を薄肉部が吸収するため、鴨居レール全体としての変形を防止し、引戸の開閉に支障を来すことがない。
【発明を実施するための最良の形態】
【０００８】
図１および図２を参照して、本発明の鴨居構造に用いられる鴨居レールの一実施形態について説明する。この鴨居レール１０は、片引き引戸用に構成されたものであって、硬質合成樹脂やアルミニウム合金その他任意の材料を用いて、好ましくは一体成形される。
【０００９】
この鴨居レール１０は、幅方向略中央に一つの断面略コの字形の凹部１１を有し、その両側に略同一平面上に延長する一対の板状部１２，１２を有する。
【００１０】
凹部１１は、一対の直立部１３，１３とこれら直立部１３，１３の上端同士を連結する頂面部１４とによって形成される凸部１９の内部に形成される。直立部１３，１３の外面側には波状突起１５が設けられ、鴨居レール１０を鴨居溝に嵌合したときに外れにくくしている。
【００１１】
各板状部１２，１２は対称的な形状を有しており、中央に厚肉部１６を備え、その両側に一対の薄肉部１７ａ，１７ｂを備えている。中央側の薄肉部１７ａは凹部１１に隣接している。図示実施形態では、板状部１２，１２の一方の面（下面）は平坦であり、他方の面（上面）の一部を凹ませることによって薄肉部１７ａ，１７ｂが形成され、該他方の面において厚肉部１６と薄肉部１７ａ，１７ｂとの間には板厚差による段差が形成される。しかしながらこの構成は必須ではなく、板状部１２，１２の両方の面を凹ませることによって薄肉部１７ａ，１７ｂを形成して、両面において厚肉部１６と薄肉部１７ａ，１７ｂとの間に段差が形成されるようにしても良い。
【００１２】
厚肉部１６の平坦面側の幅方向略中央にはＶ字溝１８が形成される。これは鴨居レール１０をビスで固定する際のビス打ち込み位置を示す。また、このＶ字溝１８に沿って一定ピッチ（たとえばＰ＝３００ｍｍ前後）でビス用の皿孔１９，１９・・・が設けられ、すなわちこれらビス用皿孔１９は厚肉部１６に設けられている。図２に示すように、２つの板状部１２，１２における皿孔１９の長手方向位置が互いに異なるようにして、全体として千鳥足状に皿孔１９が設けられるようにすることが好ましい。なお、図２に符号３９で示されるのは、この鴨居レール１０の引戸閉じ側端部に嵌合されるストッパ（図示せず）を固定するためのビス穴である。
【００１３】
この鴨居レール１０の大きさは、幅Ｗ１＝３７ｍｍ、長さＬ＝１４００〜１６００ｍｍ、厚肉部１６の厚さｔ１＝１．５ｍｍ、凹部１１の深さＤ＝３ｍｍであり、厚肉部１６の幅Ｗ２＝８ｍｍ、薄肉部１７ａの幅Ｗ３＝２．２５ｍｍ、薄肉部１７ｂの幅Ｗ４＝７ｍｍであるが、これらの寸法は一例であっていかなる意味においても限定的ではなく、必要に応じて変更されることは言うまでもない。
【００１４】
この鴨居レール１０を鴨居２０に固定した状態が図３および図４に示されている。鴨居２０の下面側には、引戸２１の上端部を収容するための幅広の鴨居溝２２が形成されると共に、この鴨居溝２２の幅方向中央にさらに、鴨居レール１０の凸部１９を嵌合するための鴨居レール嵌合溝２３が形成されている。なお、室内側に露出する鴨居２０の面を覆うように鴨居溝底面まで化粧シート２８が貼着される。また、鴨居２０はケーシング２９により水平方向に位置調整可能に躯体２６に固定される。図３において符号３０は躯体２６、鴨居２０に固定される内装ボードである。
【００１５】
鴨居レール１０の凸部１９を鴨居２０の鴨居レール嵌合溝２３に嵌合して、その両側の板状部１２，１２の上面を鴨居溝２２内の溝底面（上面）２４に当接させた状態にして、下側からビス２５を皿孔１９に通して鴨居２０およびその上方の躯体２６にねじ込むことによって、鴨居レール１０が固定される。公知のように、鴨居レール１０の凹部１１には、引戸２１の上端に取り付けた戸車２７が転動自在に嵌合され、引戸２１の走行（開閉）が円滑に行われる。
【００１６】
図５は、本発明の鴨居構造に用いられる鴨居レールの他の実施形態を示す。この鴨居レール３１は、引き違い引戸用に構成されたものであるため、２つの凹部３２，３２を有し、これら凹部の間に幅広の板状部３３が設けられると共にこれら凹部の外側に各々幅狭の板状部３４が設けられる。この鴨居レール３１の幅Ｗ５はたとえば３７ｍｍである。
【００１７】
この鴨居レール３１において、凹部３２の形状および構成は先述の実施形態における凹部１１と略同様であるが、直立部１３の外側面に脱落防止用の波状突起１５を形成する点に関しては２つの凹部３２，３２のうち少なくとも一方に適用すれば良く、図５に示す実施形態では右側に示される凹部３２について波状突起１５が形成されている。中央の幅広の板状部３３は２つの厚肉部３３ａと３つの薄肉部３３ｂを有している。外側の幅狭の板状部３４の形状および構成は先述の実施形態における板状部１２と同様であるが、外側薄肉部１７‘の幅Ｗ４’は３ｍｍとされている。その他の部分の形状・大きさは先述の実施形態による鴨居レール１０におけると同様であって良い。各部について同じ符号は同じ寸法を表している。
【００１８】
図６は、本発明の鴨居構造に用いられる鴨居レールのさらに他の実施形態を示す。この鴨居レール３５は、３本引き引戸用に構成されたものであるため、３つの凹部３６，３６，３６を有し、中央の凹部を挟んで両側に各々幅広の板状部３７が設けられると共に、外側には各々幅狭の板状部３８が設けられる。この鴨居レール３５の幅Ｗ６はたとえば１０９ｍｍである。
【００１９】
この鴨居レール３５において、凹部３６の形状および構成は先述の実施形態における凹部１１と略同様であるが、直立部１３の外側面に脱落防止用の波状突起１５を形成する点に関しては３つの凹部のうち少なくとも一つに適用すれば良く、図６に示す実施形態では中央の凹部３６について波状突起１５が形成されている。板状部３７，３８の形状および構成は図５の実施形態における板状部３３，３４と同様である。その他の部分の形状・大きさは図５に示す実施形態による鴨居レール３１に準ずる。また、各部について同じ符号は同じ寸法を表している。
【図面の簡単な説明】
【００２０】
【図１】本発明の鴨居構造に用いられる鴨居レールの一実施形態の断面図である。
【図２】この鴨居レールの平面図である。
【図３】この鴨居レールを鴨居に固定した鴨居構造の断面図である。
【図４】図３の鴨居レール部分を拡大して示す拡大断面図である。
【図５】本発明の鴨居構造に用いられる鴨居レールの他の実施形態の断面図である。
【図６】本発明の鴨居構造に用いられる鴨居レールのさらに他の実施形態の断面図である。
【図７】従来技術による鴨居レールをビスで鴨居溝に固定した場合に生じ得る鴨居レールの変形状態を示す施工断面図である。
【符号の説明】
【００２１】
１０  鴨居レール
１１  凹部
１２  板状部
１５  波状突起
１６  厚肉部
１７ａ，１７ｂ  薄肉部
１８  Ｖ字溝
１９  凸部
２０  鴨居
２１  引戸
２２  鴨居溝
２３  鴨居レール嵌合溝
２４  鴨居レール嵌合溝の溝底面
３１  鴨居レール
３２  凹部
３３，３４  板状部
３５  鴨居レール
３６  凹部
３７，３８  板状部
【図１】
0005188018.tif 000002
【図２】
0005188018.tif 000003
【図３】
0005188018.tif 000004
【図４】
0005188018.tif 000005
【図５】
0005188018.tif 000006
【図６】
0005188018.tif 000007
【図７】
0005188018.tif 000008